(57)【要約】【課題】低コストで導入して手軽に使用できる精度の高い個人認証方法とその装置とそのシステム、個人認証プログラム、及び記憶媒体を提案し、個人認証の導入を促進してセキュリティに関する社会問題を軽減する。【解決手段】個人認証又はその装置に対して、認証対象者による複数の記号の入力を許容する入力手段と、該入力中の記号毎の入力時間間隔に現れる入力特性情報を検出する入力特性検出手段と、前記認証対象者の音声を集音する集音手段と、該音声中の音量変化に現れる音量特性情報を検出する音量特性検出手段と、前記認証対象者を認証する基準となる入力認証基準情報と前記入力特性情報とを比較する入力比較手段と、前記認証対象者を認証する基準となる音声認証基準情報と前記音量特性情報とを比較する音声比較手段と、これらの比較結果に基づいて個人を認証する認証手段とを備えた。【選択図】　　図３
2004038848.tif 000002
【特許請求の範囲】
【請求項１】
入力手段で認証対象者による複数の記号の入力を許容し、
該入力中の記号毎の入力時間間隔に現れる入力特性情報を入力特性検出手段で検出し、
集音手段で前記認証対象者の音声を集音し、
該音声中の音量変化に現れる音量特性情報を音量特性検出手段で検出し、
前記認証対象者を認証する基準となる入力認証基準情報と前記入力特性情報とを入力比較手段で比較し、
前記認証対象者を認証する基準となる音声認証基準情報と前記音量特性情報とを音声比較手段で比較し、
これらの比較結果に基づいて認証手段で個人を認証する
個人認証方法。
【請求項２】
前記入力手段として、前記記号の一種である文字入力が可能なキーボードを使用し、
前記入力特性情報として、前記キーボードでの文字毎の入力時間間隔の時間比率を設定する
請求項１記載の個人認証方法。
【請求項３】
前記音量特性情報として、音声中の音量変化に現れる複数の音量特徴部の相関関係情報を設定し、
前記音量特性検出手段として、前記音声から前記音量特徴部を抽出する音量特徴部抽出手段と、前記相関関係情報を割り出す音量特徴割出手段とを使用する
請求項１又は２記載の個人認証方法。
【請求項４】
認証対象者による複数の記号の入力を許容する入力手段と、
該入力中の記号毎の入力時間間隔に現れる入力特性情報を検出する入力特性検出手段と、
前記認証対象者の音声を集音する集音手段と、
該音声中の音量変化に現れる音量特性情報を検出する音量特性検出手段と、
前記認証対象者を認証する基準となる入力認証基準情報と前記入力特性情報とを比較する入力比較手段と、
前記認証対象者を認証する基準となる音声認証基準情報と前記音量特性情報とを比較する音声比較手段と、
これらの比較結果に基づいて個人を認証する認証手段とを備えた
個人認証装置。
【請求項５】
前記入力手段を、前記記号の一種である文字入力が可能なキーボードで形成し、
前記入力特性情報を、前記キーボードでの文字毎の入力時間間隔の時間比率で構成した
請求項４記載の個人認証装置。
【請求項６】
前記音量特性情報を、音声中の音量変化に現れる複数の音量特徴部の相関関係情報で構成し、
前記音量特性検出手段を、前記音声から前記音量特徴部を抽出する音量特徴部抽出手段と、前記相関関係情報を割り出す音量特徴割出手段とで形成した
請求項４又は５記載の個人認証装置。
【請求項７】
前記入力手段及び前記集音手段を備えて認証対象者に操作させる操作端末と、
前記入力認証基準情報及び前記音声認証基準情報を記憶の記憶手段を備えて前記入力認証基準情報及び前記音声認証基準情報を管理する管理サーバとを通信手段で通信可能に接続し、
請求項１乃至３のいずれか１つに記載の個人認証方法を実行可能に構成した
個人認証システム。
【請求項８】
請求項７記載の個人認証システムに使用する
操作端末。
【請求項９】
請求項７記載の個人認証システムに使用する
管理サーバ。
【請求項１０】
認証対象者に複数の記号の入力を許容して該記号毎の入力時間間隔に現れる入力特性情報と前記認証対象者を認証する基準となる入力認証基準情報との比較結果と、
前記認証対象者の音声中の音量変化に現れる音量特性情報と前記認証対象者を認証する基準となる音声認証基準情報との比較結果とに基づいて個人を認証する
個人認証プログラム。
【請求項１１】
請求項１０記載の個人認証プログラムを記憶した
記憶媒体。
【発明の詳細な説明】
【０００１】
【発明の属する技術分野】
この発明は、例えば、一般にバイオメトリクス認証と呼ばれる生体情報に基づく認証によって本人か否かを認証するような、個人認証方法とその装置とそのシステム、個人認証プログラム、及び記憶媒体に関する。
【０００２】
【従来の技術】
従来、バイオメトリクス認証として、指紋照合、眼球照合、声紋照合等の認証方式が存在している。
【０００３】
前記指紋照合は、指紋を形成する隆線の切れているあるいは別れている個所の位置関係を比較して本人か他人かを判定する。該指紋照合の認証基準である指紋は、一卵性双生児であっても各人が異なり、また身体の成長や年齢を重ねても変化しないため、高いセキュリティを得られる。
【０００４】
前記眼球照合は、人体の影響のない範囲の赤外線を照射し、測定した網膜の血管パターンを比較して本人か他人かを判定する。該眼球照合の認証基準である網膜は偽造が難しく、高いセキュリティを得られる。
【０００５】
前記声紋照合は、どの時間にどの周波数でどれくらいの大きさで発声したかを三次元的に表現したパターンに対して周波数分析を実行し、マッチングして本人か他人かを判定する。該声紋照合の認証基準である声紋は、声帯の構造の違いと鼻腔・口腔の構造の違いにより各人で異なるため、充分な個人認証を行える。
【０００６】
【発明が解決しようとする課題】
しかし、前述の各認証方法は、どれも高価なハードウェアを必要としていた。例えば、前記指紋照合は指紋を読み取る高精度スキャナが必要であり、前記眼球照合は網膜をスキャニングする赤外線スキャナが必要であり、前記声紋照合は音声入力の際にノイズが混入しない高性能マイクが必要であった。
【０００７】
このため、どの認証方式も高価であり、導入する企業のコスト負担が多大であった。また、指紋をスキャニングさせる、網膜をスキャニングさせる、雑音のない環境で音声を集音させるなどの必要があり、認証に大げさな行為が要求されていた。
【０００８】
この発明は、低コストで導入して手軽に使用できる精度の高い個人認証方法とその装置とそのシステム、個人認証プログラム、及び記憶媒体を提案し、個人認証の導入を促進してセキュリティに関する社会問題を軽減することを目的とする。
【０００９】
【課題を解決するための手段】
この発明は、認証対象者による複数の記号の入力を許容する入力手段と、該入力中の記号毎の入力時間間隔に現れる入力特性情報を検出する入力特性検出手段と、前記認証対象者の音声を集音する集音手段と、該音声中の音量変化に現れる音量特性情報を検出する音量特性検出手段と、前記認証対象者を認証する基準となる入力認証基準情報と前記入力特性情報とを比較する入力比較手段と、前記認証対象者を認証する基準となる音声認証基準情報と前記音量特性情報とを比較する音声比較手段と、これらの比較結果に基づいて個人を認証する認証手段とを備えた個人認証方法又はその装置であることを特徴とする。
【００１０】
これにより、入力手段と集音手段を利用して２方式又はいずれか１方式で利用者を認証することができ、精度の高い個人認証が可能となる。
【００１１】
前記入力手段は、アルファベット、数字、ひらがな、カタカナ、漢字、カンマ、ピリオド、＠、％、句読点等の記号をキー入力可能なキーボード、文字等の記号をタッチ入力若しくは手書き入力可能なタッチパネル、その他の記号入力が可能な入力装置で構成することを含む。
【００１２】
前記入力特性情報は、記号毎の入力時間間隔に現れる入力特性で構成することを含む。具体的には、例えばＡ，Ｂ，Ｃと順にキー入力する際のＡＢ間の時間１とＢＣ間の時間２の比率、前記時間１と前記時間２のどちらが長い又は短いか、又は、前記時間１と前記時間２の長い方又は短い方の時間はどれくらいか等、入力時間間隔から識別可能な個人の特徴で構成することを含む。
【００１３】
前記入力特性検出手段は、認証対象者の記号入力から前記入力特性情報を形成する処理を実行するＣＰＵ又はＭＰＵ等の制御装置で構成することを含む。
前記集音手段は、ハンドマイク、卓上マイク、ヘッドマイク等、音を集音する集音装置で構成することを含む。
【００１４】
前記音量特性情報は、音量特徴部（後述）の相関関係情報（後述）、又は前記音量特徴部の数等、音量変化から識別可能な個人の特徴で構成することを含む。
前記音量特性検出手段は、認証対象者から集音した音声に基づいて前記音声特性情報を形成する処理を実行するＣＰＵ又はＭＰＵ等の制御装置で構成することを含む。
【００１５】
前記入力認証基準情報は、認証対象者にあらかじめ複数回記号入力を行わせて得た各入力特性情報の平均値、又は該平均値と各データのばらつきである標準偏差で構成する認証範囲値等、前記入力特性情報から認証対象者が本人か否かを判定する基準となる情報で構成することを含む。なお、該入力認証基準情報は、個人認証装置に備えた記憶手段に記憶しても良く、また個人認証装置が通信可能な他の装置の記憶手段に記憶しても良い。
【００１６】
前記入力比較手段は、前記入力特性情報と前記入力認証基準情報とを比較する処理を実行するＣＰＵ又はＭＰＵ等の制御装置で構成することを含む。
【００１７】
前記音声認証基準情報は、認証対象者にあらかじめ複数回発声を行わせて得た各音声特性情報の平均値、又は該平均値と各データのばらつきである標準偏差で構成する認証範囲値等、前記音声特性情報から認証対象者が本人か否かを判定する基準となる情報で構成することを含む。なお、該音声認証基準情報は、個人認証装置に備えた記憶手段に記憶しても良く、また個人認証装置が通信可能な他の装置の記憶手段に記憶しても良い。
【００１８】
前記音声比較手段は、前記音声特性情報と前記音声認証基準情報とを比較する処理を実行するＣＰＵ又はＭＰＵ等の制御装置で構成することを含む。
【００１９】
前記認証手段は、前記入力比較手段による比較結果（入力比較結果）と前記音声比較手段による比較結果（音声比較結果）から本人か否かを最終的に判断する処理を実行するＣＰＵ又はＭＰＵ等の制御装置で構成することを含む、なお、本人か否かを判断するにあたっては、前記入力比較結果と音声比較結果の双方が所定基準の範囲内であること、前記入力比較結果と音声比較結果のうち一致率の低い方が所定基準の範囲内であること、又は、前記入力比較結果と音声比較結果の一致率の合計が所定基準の範囲内であること等、複数の比較結果を利用しての判断基準を設定することを含む。
【００２０】
前記個人認証装置は、パーソナルコンピュータ（デスクトップ型又はノート型）、ワークステーション、ＰＤＡ（Ｐｅｒｓｏｎａｌ　Ｄｉｇｉｔａｌ　Ａｓｓｉｓｔａｎｃｅ）、又は携帯電話等の情報端末で構成することを含む。
【００２１】
前記構成により、個人認証装置に通常備えているあるいはオプションとして提供されているキーボードやマイク等の装置を利用して個人認証を実行することができ、コストダウンを図ることができる。
【００２２】
また、特別なハードウェアを必要とせず、例えば指紋照合スキャナを取付ける場合の設置場所の不便といった問題を解消し、利用者の利便性を向上することができる。
【００２３】
さらには、指紋や声紋や網膜等の認証に比較して個人特徴情報の抽出が容易であり、かつ基準情報との比較も容易となりマッチング時間が短縮できる。これにより、大規模システムで相当数の人数を個人認証するような場合であっても、迅速かつ確実に本人を認証することができる。
【００２４】
好ましい実施の形態として、前記入力手段を、前記記号の一種である文字入力が可能なキーボードで形成し、前記入力特性情報を、前記キーボードでの文字毎の入力時間間隔の時間比率で構成することができる。
【００２５】
前記キーボードは、パーソナルコンピュータやワークステーション用のキーボード、ＰＤＡに備えた若しくは取付けるキーボード、又は、携帯電話に備えた番号ボタンや取付けパッド等のキーボード等、文字入力可能なキーボードで構成することを含む。
【００２６】
前記時間比率は、文字と文字との間の時間をそれぞれ対比した相対的な時間比率、又は、全体の入力時間に対する各文字入力間の時間比率で構成することを含む。
【００２７】
前記構成により、入力手段として通常備えられているキーボードを使用してコストダウンを図ることができる。また、絶対時間ではなく相対的な時間比率で認証することで、体調が悪くゆっくり入力した場合や急いでいて速く入力した場合であっても、本人か否かを正しく認証することができ、認証率を向上することができる。
【００２８】
好ましい実施の形態として、前記音量特性情報を、音声中の音量変化に現れる複数の音量特徴部の相関関係情報で構成し、前記音量特性検出手段を、前記音声から前記音量特徴部を抽出する音量特徴部抽出手段と、前記相関関係情報を割り出す音量特徴割出手段とで形成することができる。
【００２９】
前記音量特徴部は、発音開始部、発音終了部、最大音量部、最大音量から順に所定個数抽出する複数の大音量部、所定音量を超過する１又は複数の大音量部、最小音量部、最小音量から順に所定個数抽出する複数の小音量部、所定音量を下回る１又は複数の小音量部等、音量に現れるこれら特徴のいずれか１つ又は複数で構成することを含む。
【００３０】
前記相関関係情報は、音量特徴部間の時間比率を複数対比して現れる関係、各音量特徴部同士の音量比率を複数対比して現れる関係、最大音量部，第２大音量部，及びその他の大音量部が現れる順番の関係、最小音量部，第２小音量部，及びその他の小音量部が現れる順番の関係、又はこれらの関係の複合による情報で形成することを含む。
【００３１】
前記音量特徴部抽出手段は、集音した音声から前記音量特徴部を抽出する処理を実行するＣＰＵ又はＭＰＵ等の制御装置で構成することを含む。該抽出のタイミングは、認証対象者の発音終了後に抽出する、あるいは発音中にリアルタイムで特徴抽出することを含む。
【００３２】
前記音量特徴割出手段は、前記音量特徴部から前記相関関係情報を割り出す処理を実行するＣＰＵ又はＭＰＵ等の制御装置で構成することを含む。
【００３３】
前記構成により、音声の音量の特徴を利用して手軽かつ高精度に印象対象者が本人か否かを認証することができる。すなわち、音量に基づくためノイズの干渉による影響を受けずに手軽に個人認証でき、また風邪等の体調の影響を受けることなく常時高精度で個人認証できる。
【００３４】
またこの発明は、前記入力手段及び前記集音手段を備えて認証対象者に操作させる操作端末と、前記記憶手段を備えて前記入力認証基準情報及び前記音声認証基準情報を管理する管理サーバとを通信手段で通信可能に接続し、請求項１乃至３のいずれか１つに記載の個人認証方法を実行可能に構成した個人認証システムとすることができる。
【００３５】
前記通信手段は、ネットワークカードやモデムなどの有線通信装置、又は電波又は赤外線等を利用した無線通信装置等、通信装置で構成することを含む。また、ローカルエリアネットワーク、専用回線、又は公衆回線（インターネット等）で構成することを含む。
【００３６】
前記構成により、複数の認証対象者と複数の操作端末が存在する場合であっても、前記入力認証基準情報及び前記音声認証基準情報を管理サーバで一元管理して、どの認証対象者がどの操作端末を使用しても個人認証して使用可能にするようなことができる。
【００３７】
またこの発明は、前記個人認証システムに使用する操作端末とすることができる。
これにより、認証対象者は操作端末を操作して個人認証を受けることができる。
【００３８】
またこの発明は、個人認証システムに使用する管理サーバとすることができる。
これにより、個人認証の基準となる前記入力認証基準情報及び前記音声認証基準情報を一元管理することができる。
【００３９】
またこの発明は、認証対象者に複数の記号の入力を許容して該記号毎の入力時間間隔に現れる入力特性情報と前記認証対象者を認証する基準となる入力認証基準情報との比較結果と、前記認証対象者の音声中の音量変化に現れる音量特性情報と前記認証対象者を認証する基準となる音声認証基準情報との比較結果とに基づいて個人を認証する個人認証プログラムとすることができる。
【００４０】
これにより、一般のパーソナルコンピュータ（デスクトップ型又はノート型）、ワークステーション、ＰＤＡ、又は携帯電話等の装置に個人認証プログラムをインストールし、個人認証装置を形成することができる。
【００４１】
またこの発明は、前記個人認証プログラムを記憶した記憶媒体とすることができる。
前記記憶媒体は、ハードディスク、光磁気ディスク、フロッピー（登録商標）ディスク、ＣＤ−ＲＯＭ、コンパクトフラッシュ（登録商標）等、前記個人認証プログラムを記憶可能な記憶媒体で構成することを含む。
【００４２】
前記構成により、個人認証プログラムをインストール及び実行することが可能となる。
【００４３】
また好ましい実施の形態として、前記音量特徴部を、認証対象者の発音開始部、所定音量部、及び発音終了部で形成することができる。
【００４４】
前記所定音量部は、最大音量又は／及び最小音量を示す最突出音量部、最大音量又は／及び最小音量から順に所定個数抽出する複数の突出音量部、所定音量を超過又は／及び下回る１又は複数の所定レベル音量部、又はこれらの複合で形成することを含む。
【００４５】
前記構成により、単語や文章等の言葉を人が発声する際、同一の言葉であれば同一若しくはほぼ同一のアクセントで発音することを利用し、このアクセントを的確に抽出して個人認証を行うことができる。
【００４６】
また好ましい実施の形態として、前記相関関係情報を、前記音量特徴部間の時間比率で形成することができる。
【００４７】
これにより、例えば認証対象者が本人であると正しく認識できなかったため再度ゆっくり発音された場合等、認証対象者の気分や体調によって変化する発音スピードに対応することができる。すなわち、発音スピードが変化しても音量特徴部が現れる時間比率は同一若しくはほぼ同一であり、この特性を利用して本人であると認証することが可能になる。
【００４８】
【発明の効果】
この発明により、特別なハードウェア（装置）を必要とすることなく、簡易かつ高精度に個人認証を実行することができる。
これにより、個人認証の導入件数を増大し、セキュリティ強化が望まれる社会の要望に答え、個人認証市場を活性化させ、コンピュータの発達した現代の社会活動の健全性を向上することができる。
【００４９】
【発明の実施の形態】
この発明の一実施形態を以下図面と共に説明する。
まず、図１に示す個人認証システム１のシステム構成図と共に、個人認証システム１の構成について説明する。
【００５０】
個人認証システム１は、認証データベース（認証ＤＢ）２１を備えた管理サーバ１０と、認証対象者に操作させる複数の操作端末３０，…とを、ハブ（図示省略）を介してＬＡＮケーブル２で接続して構成しており、これにより一企業内のイントラネットを構築している。
【００５１】
前記管理サーバ１０は、ＣＤ−ＲＯＭドライブ１７を搭載した本体１１と、該本体１１に接続したモニタ１４、キーボード１５、マウス１６、及び認証データベース２１を格納したハードディスク２０（後述）とを備えている。
【００５２】
前記認証データベース２１は、図２のデータ説明図に示すように、認証対象者のＩＤ、パスワード、氏名、認証禁止か否かを示す認証禁止フラグ、打鍵時間全体に対する個々の打鍵時間の比率を示す打鍵平均比率Ｋ１，打鍵平均比率Ｋ２，…、前記打鍵時間の比率のバラツキをしめす打鍵標準偏差Ｄ１，打鍵標準偏差Ｄ２，…、発音のアクセント数、及び後述する時間比率の平均値を示す音声平均比率Ｍ１，音声平均比率Ｍ２，…で形成する認証基準データを記憶しており、該認証基準データを本人認証の基準とする。
【００５３】
図１に示した前記操作端末３０は、ＣＤ−ＲＯＭドライブ３７を搭載した本体３１と、該本体３１に接続したモニタ３４、キーボード３５、マウス３６、及び個人認証用のマイク３８とを備えている。
【００５４】
また、前記管理サーバ１０及び前記操作端末３０には、個人認証システム１に必要なソフトウェアとして、図３の斜視図に示すソフトウェアパッケージ５０に同梱の各プログラムをインストール済みである。
【００５５】
該ソフトウェアパッケージ５０は、サーバ用インストールＣＤ−ＲＯＭ５１、サーバ管理者用テクニカルマニュアル５２、端末用インストールＣＤ−ＲＯＭ５３、端末利用者用ユーザマニュアル５４、及びユーザ登録カード５５を、包装ケース５６に収納して構成している。
【００５６】
前記サーバ用インストールＣＤ−ＲＯＭ５１は、後述する認証データベース２１、音声特徴割出プログラム２２、音声比率比較プログラム２３、打鍵比率算出プログラム２４、打鍵比率比較プログラム２５、認証判断プログラム２６、基準登録プログラム２７、打鍵基準作成プログラム２８、及び音声基準作成プログラム２９をインストールするサーバ用インストールプログラムを記録している。
【００５７】
前記端末用インストールＣＤ−ＲＯＭ５３は、打鍵時間取得プログラム４１、音声取得プログラム４２、及び認証依頼プログラム４３をインストールする端末用インストールプログラムを記録している。
【００５８】
以上に説明したシステム構成により、管理サーバ１０で認証基準データの認証データベース２１への登録及び管理を実行し、操作端末３０を操作する利用者（認証対象者）のキー入力をキーボード３５で受け付け、音声をマイク３８（操作端末３０側）で集音して、本人であるか否かを認証することができる。
【００５９】
次に、図４の管理サーバ１０の制御回路を示すブロック図と共に、管理サーバ１０の構造について説明する。
【００６０】
管理サーバ１０は、ＣＰＵ、ＲＯＭ及びＲＡＭで構成する制御装置１３を備え、該制御装置１３にＩ／Ｏインータフェース１２を介して以下の各装置を接続している。
【００６１】
モニタ１４は、制御装置１３から受信するＲＧＢ信号に従って、文字、図形、及び記号等の画像を表示する。この画像には、認証データベース２１をメンテナンスするメンテナンス画面や、システム管理者が認証対象者にＩＤを発行する画面を含む。
【００６２】
キーボード１５は、認証対象者にアルファベット及び数字等の記号を入力させる装置であり、入力されたキー信号を入力信号として制御装置１３に送信する。認証対象者へのＩＤ発行時には、ＩＤ、パスワード（仮）、及び氏名といった認証基準データに必要な個人情報の入力を許容する。
【００６３】
マウス１６は、サーバ管理者若しくは認証対象者が制御装置１３に命令を伝えるためのポインティングデバイスであり、座標信号及びクリック信号を入力信号として制御装置１３に送信する。
【００６４】
ＣＤ−ＲＯＭドライブ１７は、ＣＤ−ＲＯＭに記録されたサーバ用インストールプログラム等のデータを読み込み、この読込信号を制御装置１３に送信する。
【００６５】
ＬＡＮボード１９は、操作端末３０と通信を行うための通信装置であり、制御装置１３から受信する通信信号に従って操作端末３０と通信し、該操作端末３０から受信したデータを通信信号として制御装置１３に送信する。
【００６６】
ハードディスク２０は、前述のサーバ用インストールプログラムでインストールした認証データベース２１、音声特徴割出プログラム（ＰＧ）２２、音声比率比較プログラム２３、打鍵比率算出プログラム２４、打鍵比率比較プログラム２５、認証判断プログラム２６、基準登録プログラム２７、打鍵基準作成プログラム２８、及び音声基準作成プログラム２９を記憶しており、制御装置１３から受信する書込信号に従ってデータの更新（認証基準データの更新及びインストールを含む）を実行し、読込信号として必要なデータを制御装置１３に送信する。
【００６７】
以上の構造により、管理サーバ１０で認証データベース２１のメンテナンスと認証対象者へのＩＤ発行が実行可能になり、操作端末３０と通信して認証対象者の打鍵平均比率Ｋや音声平均比率Ｍ等を登録し、個人認証することができる。
【００６８】
次に、図５の操作端末３０の制御回路を示すブロック図と共に、操作端末３０の構造について説明する。
【００６９】
操作端末３０は、ＣＰＵ、ＲＯＭ及びＲＡＭで構成する制御装置３３を備え、該制御装置３３にＩ／Ｏインータフェース３２を介して以下の各装置を接続している。
【００７０】
モニタ３４は、制御装置３３から受信するＲＧＢ信号に従って、文字、図形、及び記号等の画像を表示する。この画像には、認証対象者を特定するためのＩＤ入力画面、パスワード入力画面、認証対象者に認証用キーワードである氏名を発声させて集音する集音画面、認証対象者の認証基準データを登録する際の登録画面等の個人認証に必要な画面を含む。
【００７１】
キーボード３５は、認証対象者にアルファベット及び数字等の記号を入力させる装置であり、入力されたキー信号を入力信号として制御装置３３に送信する。なお、該入力信号の時間間隔を制御装置３３が測り、前記打鍵平均比率Ｋを算出する。また、認証基準データの登録時には、ＩＤ及びパスワードといった認証基準データに必要な入力を許容する。
【００７２】
マウス３６は、制御装置３３に利用者（認証対象者）が命令を伝えるためのポインティングデバイスであり、座標信号及びクリック信号を入力信号として制御装置３３に送信する。
【００７３】
ＣＤ−ＲＯＭドライブ３７は、ＣＤ−ＲＯＭに記録された端末用インストールプログラム等のデータを読み込み、この読込信号を制御装置３３に送信する。
【００７４】
マイク３８は、集音した音声を音声信号として制御装置３３に送信する。これにより、認証対象者を本人と認証するために必要な音声データを取得する。また、認証対象者の認証基準となる認証基準データの作成時にも、登録に必要な認証対象者の音声を取得する。
【００７５】
ＬＡＮボード３９は、管理サーバ１０と通信を行うための通信装置であり、制御装置３３から受信する通信信号に従って管理サーバ１０と通信し、該管理サーバ１０から受信したデータを通信信号として制御装置３３に送信する。
【００７６】
ハードディスク４０は、前述の端末用インストールプログラムでインストールした打鍵時間取得プログラム４１、音声取得プログラム４２、及び認証依頼プログラム４３等の必要なプログラム及びデータを記憶しており、制御装置３３から受信する書込信号に従ってデータの更新（インストールを含む）を実行し、読込信号として必要なデータを制御装置３３に送信する。
【００７７】
以上の構造により、認証対象者はキーボード３５でパスワードをキー入力し、操作端末３０のマイク３８に向かって発声し、このキー入力及び発声に基づく個人認証を受けることができる。これによって、個人認証を受けて初めて閲覧可能となる重要データや社外秘データ等の特別データにアクセスする、あるいは他のソフトウェアのアップグレードや環境設定の変更等、実行可能者が限定されている特殊操作を実行するといったことが可能になる。また、操作端末３０から認証対象者としての登録を受けることができるため、登録時の利便性にも優れている。
【００７８】
次に、図６に示す操作端末３０の制御装置３３の動作を示す処理フロー図と共に、管理サーバ１０に認証対象者の認証基準データを登録する処理について説明する。
【００７９】
この登録処理を実行するにあたっては、利用者は予め管理サーバ１０を管理するシステム管理者に依頼して、ＩＤ及びパスワード（仮）の発行を受ける。該ＩＤ及びパスワード（仮）は、利用者の氏名と共にシステム管理者によって認証データベース２１（図１）に記憶（登録）され、利用者が操作端末３０で前記ＩＤ及びパスワード（仮又は本）を入力したとき、前記認証データベース２１に打鍵平均比率Ｋ（図２）又は音声平均比率Ｍ等の必要データが未登録であることがトリガーとなって以下の登録処理を実行する。
【００８０】
制御装置３３は、モニタ３４に図７の画面イメージ説明図の（Ａ）に示す登録データ入力画面を表示し（ステップｓ１）、今回の登録で認証対象者となる利用者にＩＤ及びパスワード（管理者に発行された仮パスワード）を入力させる（ステップｓ２）。
【００８１】
制御装置３３は、打鍵時間取得プログラム４１を起動し、図７の（Ｂ）に示すパスワード入力画面を表示し（ステップｓ３）、利用者にパスワードをキー入力させて、その打鍵時間を取得する（ステップｓ４）。
【００８２】
このようにして取得した打鍵時間データは、図８の説明図に示すように、入力文字間の打鍵時間間隔ｓ１，ｓ２，…の集合データとなり、該打鍵時間データを取得した時点で打鍵時間取得プログラム４１を終了する。
制御装置３３は、利用者にキー入力（打鍵）させて打鍵時間データを取得した回数が１０回未満であるかチェックし、１０回未満であればステップｓ３にリターンし、１０回以上であれば次のステップに進む（ステップｓ５）。
【００８３】
制御装置３３は、音声取得プログラム４２を起動し、図７の（Ｃ）に示す音声入力画面をモニタ３４に表示し（ステップｓ６）、利用者に氏名を発音させて、その音声をマイク３８で集音して取得する（ステップｓ７）。
【００８４】
なお、このとき利用者にキーワードとして氏名を発音させるようにしているが、これは氏名の発音がアクセントの抽出に最も適しているからである。すなわち、日常生活において電話で氏名を名乗る等の機会は多く、このとき相手に認識させるためにわかりやすくアクセントを強調して発音する独特の癖が個人毎に存在し、この安定した癖によって音量変化の特徴が他のキーワードよりも顕著に表れると共に、他人によるなりすましを防止する効果も高まる。
【００８５】
もちろん、このキーワードは氏名に限定することなく、利用者が任意のキーワードを音声入力してもかまわず、音声取得プログラム４２は、氏名であろうと他のキーワードであろうと変わりなく利用者の音声を示す音声データを取得することができる。
【００８６】
このようにして取得した音声データは、時刻と音量の２次元グラフにして表示すると、図９の特徴抽出説明図の（Ｅ）に示す複雑な波形グラフｇ１となり、該波形グラフｇ１を取得した時点で音声取得プログラム４２を終了する。
【００８７】
制御装置３３は、利用者に発声させて音声データを取得した回数が１０回未満であるかチェックし、１０回未満であればステップｓ６にリターンし、１０回以上であれば次のステップに進む（ステップｓ８）。
【００８８】
１０回分の打鍵時間データ及び１０回分の音声データを取得すると、該打鍵時間データ及び音声データを全て管理サーバ１０に送信する（ステップｓ９）。
【００８９】
前記打鍵時間データ及び音声データを受信した管理サーバ１０の制御装置１３は、まず打鍵基準作成プログラム２８を起動し、打鍵平均比率Ｋと打鍵標準偏差Ｄを算出する。前記打鍵平均比率Ｋは、全体入力時間（図８）を単位時間、すなわち１．００としてこれに対する打鍵時間間隔ｓ毎の時間比率を示す打鍵時間比率ｔａを割り出し、１０回分の打鍵時間データによる各時間比率の平均値を求め、これを打鍵平均比率Ｋとして図２に示した構成でハードディスク２０の認証データベース２１に記憶する（ステップｓ１０）。前記打鍵標準偏差Ｄは、前記打鍵平均比率Ｋに対する前記打鍵時間比率ｔａのバラツキから求める。これにより打鍵平均比率Ｋ及び打鍵標準偏差Ｄを取得して、打鍵基準作成プログラム２８を終了する。
【００９０】
次に制御装置１３は、音声基準作成プログラム２９を起動し、まず前記１０個の音声データの各波形グラフｇ１に対して外形を取得し、図９の（Ｆ）に示すような外形グラフｇ２を１０個作成する（ステップｓ１１）。
前記音声基準作成プログラム２９によって、図９の（Ｇ）に示すように、予め定められている音量Ｖａ以上に前記外形グラフｇ２が突出している部分の極大点の時刻を示す特徴時刻ｖ１及びｖ２を抽出し、これと共に音量がノイズの範囲を最初に超えた点の時刻を示す特徴時刻ｖ０、及び音量がノイズの範囲に収まった点の時刻を示す特徴時刻ｖ３を、各外形グラフｇ２毎に抽出する（ステップｓ１２）。なお、前記特徴時刻ｖ１及びｖ２は、発声（発話）における印象対象者のアクセントに対応している。
【００９１】
制御装置１３（管理サーバ側）は、まず音声データ（サンプリングデータ）毎に前記特徴時刻ｖ３の時刻から前記特徴時刻ｖ０の時刻を減算した発声時間（ｖ３−ｖ０）を算出し、該発声時間（ｖ３−ｖ０）を各音声データに対する各単位時間、すなわち１．００とする。
【００９２】
音声データ毎に前記単位時間に対する特徴時刻ｖ０からｖ１間の音声時間比率ｔｂ１、特徴時刻ｖ１からｖ２間の音声時間比率ｔｂ２、…を割り出し、１０回分の音声データによる各音声時間比率ｔｂ１、ｔｂ２、…の音声平均比率Ｍ１、音声平均比率Ｍ２、…を算出し（ステップｓ１３）、前記音声基準作成プログラム２９を終了する。
【００９３】
なお、前記単位時間は、上述のように１０個別々に使用するのではなく、１０回分の打鍵時間又は発声時間（ｖ３−ｖ０）の平均値で求めたそれぞれ１つの単位時間を使用するように構成しても良い。
【００９４】
制御装置１３は、基準登録プログラム２７を起動し、前記前記平気比率Ｔ，前記打鍵標準偏差Ｄ、音声平均比率Ｍ（音声平均比率Ｍ１，音声平均比率Ｍ２，…）を認証基準データとして、図２に示した認証データベース２１に登録し、前記基準登録プログラム２７を終了する（ステップｓ１４）。このとき、操作端末３０に登録完了を送信する。なお、前記各音声平均比率Ｍに対しても標準偏差を求めて認証データベース２１に登録しても良い。該標準偏差を利用する場合には、音声についてもサンプリングデータ（音声データ）の個々のばらつきに対応し、より精度の高い個人認証を行うことができる。
【００９５】
前記登録完了を受信した操作端末３０は（ステップｓ１５）、図７の（Ｄ）に示す登録完了画面を表示し（ステップｓ１６）、登録処理を終了する。
【００９６】
以上の動作により、図２に示した認証対象者となる利用者の認証基準データを、認証データベース２１に登録することができ、前記利用者を認証対象者として個人認証を実行するためのサーバ環境が整う。
【００９７】
次に、図１０及び図１２に示す操作端末３０の制御装置３３の動作を示す処理フロー図と共に、図１１に示す画面イメージ説明図を参照して、認証対象者が操作端末３０で個人認証を受ける処理について説明する。
【００９８】
図５に示した制御装置３３は、モニタ３４に図１１の（Ｈ）に示すＩＤ入力画面を表示し（ステップｎ１）、認証対象者にＩＤを入力させる（ステップｎ２）。
【００９９】
前記ＩＤの認証対象者の認証禁止フラグ（図２）が１、すなわち認証禁止となっていた場合は（ステップｎ３）、「誤認回数が所定回数を上回っています。システム管理者に再登録を依頼してください。」と認証禁止である旨をモニタ３４に表示し（ステップｎ４）、処理を終了する。
【０１００】
認証禁止フラグが１でなかった場合には、制御装置３３は打鍵時間取得プログラム４１を起動し、図１１の（Ｉ）に示すパスワード入力画面を表示する（ステップｎ５）。
【０１０１】
認証対象者にパスワードをキー入力させ、このときの打鍵の時間間隔である打鍵時間データを取得して打鍵時間取得プログラム４１を終了する（ステップｎ６）。
【０１０２】
制御装置３３は音声取得プログラム４２を起動し、図１１の（Ｊ）に示す音声入力画面を表示する（ステップｎ７）。
認証対象者に氏名（若しくはキーワード）を発音させ、これをマイク３８で集音する音声入力を実行し、これにより音声データを取得して音声取得プログラム４２を終了する（ステップｎ８）。
【０１０３】
制御装置３３は、認証依頼プログラム４３を起動し、前記打鍵時間データ及び音声データを管理サーバ１０に送信する（ステップｎ９）。
前記打鍵時間データ及び音声データを受信した管理サーバ１０は、認証対象者が本人か否かを照合する照合処理を実行する（ステップｎ１０）。ここで該照合処理の詳細について、図１２に示す処理フロー図と共に説明する。
【０１０４】
管理サーバ１０の制御装置１３は、まず打鍵比率算出プログラム２４を起動し、前記打鍵時間データに基づいて、全体入力時間を単位時間とした各入力文字間の打鍵時間の比率である打鍵時間比率ｔａ１，ｔａ２，…（図８）を算出する（ステップｐ１）。
【０１０５】
該打鍵時間比率を算出して前記打鍵比率算出プログラム２４を終了し、次に音声特徴割出プログラム２２を起動する。
【０１０６】
該音声特徴割出プログラム２２は、まず前記音声データの波形グラフｇ１（図９の（Ｅ））の外形を取得して、外形グラフｇ２（図９の（Ｆ））を作成する（ステップｐ２）。
前記音声特徴割出プログラム２２によって、図９の（Ｇ）に示したように、予め定められている音量Ｖａ以上に前記外形グラフｇ２が突出している部分の極大点の時刻を示す特徴時刻ｖ１及びｖ２を抽出し、これと共に音量がノイズの範囲を最初に超えた点の時刻を示す特徴時刻ｖ０、及び音量がノイズの範囲に収まった点の時刻を示す特徴時刻ｖ３を抽出する（ステップｐ３）。
【０１０７】
制御装置３３は、前記特徴時刻ｖ３の時刻から前記特徴時刻ｖ０の時刻を減算した発声時間（ｖ３−ｖ０）を算出し、該発声時間（ｖ３−ｖ０）を単位時間、すなわち１．００とする。前記特徴時刻ｖ０からｖ１間の音声時間比率ｔｂ１、特徴時刻ｖ１からｖ２間の音声時間比率ｔｂ２、…を割り出し、（ステップｐ４）、前記音声特徴割出プログラム２２を終了する。
【０１０８】
制御装置３３は、打鍵比率比較プログラム２５を起動し、前記打鍵時間比率ｔａ１，ｔａ２…と認証基準データに記憶の打鍵平均比率Ｋ１，Ｋ２，…とを比較し、その差を算出する（ステップｐ５）。
【０１０９】
制御装置３３は、音声比率比較プログラム２３を起動し、前記音声時間比率ｔｂ１，ｔｂ２…と認証基準データに記憶の音声平均比率Ｍ１，Ｍ２，…とを比較し、その差を算出する（ステップｐ６）。
【０１１０】
前記各差が予め設定した本人許容誤差（例えば標準偏差×所定数）の範囲内であるか否か（例えば、各打鍵時間比率ｔａと各打鍵平均比率Ｋの差全て、及び各音声時間比率ｔｂと各音声平均比率Ｍの差全てが本人許容誤差以内であるか否か、又は該各差のうち所定数（例えば９割）が本人許容誤差以内であるか否か等）によって認証の可否を判断する（ステップｐ７）。なお、前記誤差は、±標準偏差×１．６４の範囲内であれば問題なしとすることが望ましい。
【０１１１】
前記認証がＯＫであれば認証結果として認証ＯＫを操作端末３０に送信し（ステップｐ８）、ＮＧであれば認証結果として認証ＮＧを操作端末３０に送信して（ステップｐ９）、音声比率比較プログラム２３を終了し管理サーバ１０の処理を終了する。
【０１１２】
図１０に戻って、操作端末３０は認証結果を受信し、認証依頼プログラム４３を終了する（ステップｎ１１）。
【０１１３】
前記認証結果が認証ＯＫであった場合には（ステップｎ１２）、アクセス許可を出力して、認証対象者が操作端末３０で社外秘データ等のセキュリティデータにアクセスすることを許容し、個人認証処理を終了する（ステップｎ１３）。
【０１１４】
認証ＮＧであった場合には、認証エラー画面をモニタ３４に表示し（ステップｎ１４）、エラー回数が所定回数以内であれば（ステップｎ１５）、エラー回数に１追加してステップｎ３にリターンする（ステップｎ１６）。
【０１１５】
エラー回数が所定回数を超えた場合（例えば１０回連続して認証ＮＧと判断された場合）には、この認証対象者の認証を禁止するための禁止データ（ＩＤ及び認証禁止フラグで形成）を管理サーバ１０に送信し（ステップｎ１７）、管理サーバ１０で認証データベース２１の該ＩＤ（図２参照）の認証対象者に対して、認証禁止フラグを１に更新し、認証禁止登録を行う（ステップｎ１８）。
【０１１６】
以上の動作により、図１３の効果説明図に示すように、例えば音声比較で認証基準データの作成時には落ち着いて発音したため、（Ｋ）の基準に示すように全体で２．１３秒かけて氏名を発音して入力し、個人認証時には急いで発音したため（Ｌ）の今回に示すように１．５７秒で氏名を発音して入力した場合にも対応できる。
【０１１７】
すなわち、そのままの時間で比較を行えば、氏名を発音する時間全体が大幅に異なり、比較すると本人でないと認識してしまうところ、時間全体を単位時間（１．００）としてその比率で特徴時刻ｖの比較を行うため、本人であると正しく認証することができる。
【０１１８】
パスワードのキー入力時においても同様であり、例えばいつも使用しているキーボードと異なり不慣れなキーボードを使用した場合であれば、打鍵時間が全体的に遅くなっても打鍵時間間隔の比率に基づいて認証するため、本人であると正しく認証することができる。
【０１１９】
これらにより、認証対象者をパスワード入力及び音声で正確に認証することができ、重要データにアクセス可能な利用者を制限して、セキュリティを確保することが可能になる。また、音声特徴割出プログラム２２、音声比率比較プログラム２３、打鍵比率算出プログラム２４、打鍵比率比較プログラム２５、及び認証判断プログラム２６を管理サーバ１０にのみ備えることで、認証に関するプログラムを解析されるようなハッキングの危険性を回避することができる。
【０１２０】
すなわち、操作端末３０にこれらのプログラムを備えた場合は、操作端末３０に対して手を加えればハッキング可能となるため、全操作端末３０の厳重管理が必要となるが、この実施形態では管理サーバ１０のみを厳重管理すれば、前記ハッキング行為を排除することができる。
【０１２１】
さらには、認証対象者が風邪をひいた場合等、声質が変化した場合であっても、この影響を受けることなくアクセント（特徴時刻ｖ１，ｖ２）を抽出できるため、認証対象者の体調に影響されず常時高精度で個人認証することができる。
【０１２２】
なお、パスワード入力による打鍵時間比率ｔａの比較と共に、パスワードに間違いがないかも比較項目としても良く、またパスワードの文字自体は認証の比較対照とせず打鍵時間比率ｔａのみを比較の対象としても良い。
【０１２３】
また、前記打鍵時間比率ｔａと打鍵平均比率Ｋとの比較の際、誤差が打鍵標準偏差Ｄからかけ離れている特異データが所定個数（例えば全データの２割以下又は１データのみなど）存在した場合は、これを無視して認証するように設定しても良い。これにより、例えばＯＳ（オペレーションシステム）の違い等により、よく使用するキーボードとキー配列が一部異なるキーボードを使用してパスワードを入力するような場合であっても、戸惑って入力が遅くなった１〜２文字を無視するようにして本人を正しく認証することができる。
【０１２４】
また、音量Ｖａの値又は／及び特徴時刻ｖの抽出個数は、管理サーバ１０でシステム管理者が設定できるように構成しても良い。これにより、個人認証システム１を導入する企業や施設毎に、個別の認証基準を設定することができ、認証基準は個人認証システム１の提供者さえも知り得ぬ情報となって、セキュリティレベルを向上することができる。
【０１２５】
また、標準偏差による認証基準データとの本人許容誤差をシステム管理者が任意に設定できるように構成しても良い。これにより、個人認証システム１を導入する企業や施設が要求する堅牢度に対し、本人として認証する本人許容誤差（許容レベル）を柔軟に変更して対応することが可能になる。
【０１２６】
また、特徴時刻ｖは、音量Ｖａ以上に突出している部分の極大点から抽出したが、最大音量となる極大点から突出量の大きい順に１又は複数の特徴時刻ｖを抽出しても良い。この場合は、例えば３箇所の特徴時刻ｖを抽出すると設定した場合、認証対象者の声量及びマイクの性能の変化により集音レベル（録音レベル）が変化しても常に３箇所の特徴時刻ｖを抽出することとなる。これにより、基準データに対する集音データ全体の音量差の影響を受けずに本人認証することができ、より認証精度を向上することができる。
【０１２７】
また、打鍵平均比率Ｋ及び打鍵標準偏差Ｄ、又は／及び音声平均比率Ｍを求めるための繰り返し回数は、１０回に限らずそれ以上でも以下でも良い。この繰り返し回数は、認証対象者による初期入力の利便性と、平均値の安定性を考慮して回数を決定するのが望ましく、システム管理者が管理サーバ１０で自由に又は所定範囲内で繰り返し回数を設定可能に構成しても良い。
【０１２８】
また、音声特徴割出プログラム２２、音声比率比較プログラム２３、打鍵比率算出プログラム２４、打鍵比率比較プログラム２５、認証判断プログラム２６、基準登録プログラム２７、打鍵基準作成プログラム２８、及び音声基準作成プログラム２９は、全て又は一部（例えば基準登録プログラム２７以外の各プログラム）を操作端末３０に備えても良い。これにより、管理サーバ１０の負荷を軽減して処理速度を向上し、多人数が使用する大規模システムでもストレスなく利用することができる。
【０１２９】
また、パスワードはシステム管理者による発行後、利用者が操作端末３０で自由に若しくは所定の制限範囲内で変更可能に構成しても良い。
【０１３０】
また、個人認証システム１は、イントラネットに限らずインターネットを介して利用可能に構成しても良く、操作端末３０のハードディスク４０に全てのプログラム及びデータを格納して操作端末３０’を形成し、該操作端末３０’単体で使用可能に構成しても良い。
【０１３１】
また、個人認証システム１は、重要施設への入室制限や金庫の施錠解除等、セキュリティの要求される様々な場所に設置しても良い。
また、欧米人などの外国人は、日本人よりもアクセント時の音量変化が顕著であるため、個人認証システム１を外国人専用としても良い。
【０１３２】
この発明の構成と、上述の実施形態との対応において、
この発明の入力手段は、実施形態のキーボード１５に対応し、
以下同様に、
通信手段は、ＬＡＮボード１９及びＬＡＮボード３９に対応し、
記憶手段は、ハードディスク２０に対応し、
記憶媒体は、ハードディスク２０及びサーバ用インストールＣＤ−ＲＯＭ５１に対応し、
音量特性検出手段、音量特徴部抽出手段、及び音量特徴割出手段は、音声特徴割出プログラム２２を実行する制御装置１３に対応し、
音声比較手段は、音声比率比較プログラム２３を実行する制御装置１３に対応し、
入力特性検出手段は、打鍵比率算出プログラム２４を実行する制御装置１３に対応し、
入力比較手段は、打鍵比率比較プログラム２５を実行する制御装置１３に対応し、
認証手段は、認証判断プログラム２６を実行する制御装置１３に対応し、
個人認証プログラムは、認証判断プログラム２６に対応し、
個人認証装置は、操作端末３０’に対応し、
集音手段は、マイク３８に対応し、
入力時間間隔は、打鍵時間間隔ｓに対応し、
入力特性情報は、打鍵時間比率ｔａに対応し、
時間比率は、打鍵時間比率ｔａに対応し、
入力認証基準情報は、打鍵平均比率Ｋ及び打鍵標準偏差Ｄに対応し、
音量特性情報は、音声時間比率ｔｂに対応し、
音声認証基準情報は、音声平均比率Ｍに対応し、
相関関係情報は、音声時間比率ｔｂに対応し、
音量特徴部は、特徴時刻ｖに対応するも、
この発明は、上述の実施形態の構成のみに限定されるものではなく、多くの実施の形態を得ることができる。
【図面の簡単な説明】
【図１】個人認証システムのシステム構成図。
【図２】認証基準データのデータ説明図。
【図３】ソフトウェアパッケージの斜視図。
【図４】管理サーバの制御回路を示すブロック図。
【図５】操作端末の制御回路を示すブロック図。
【図６】管理サーバの制御装置の動作を示す処理フロー図。
【図７】管理サーバの画面イメージ説明図。
【図８】打鍵時間間隔取得説明図。
【図９】特徴抽出説明図。
【図１０】操作端末の制御装置の動作を示す処理フロー図。
【図１１】操作端末の画面イメージ説明図。
【図１２】操作端末の制御装置の動作を示す処理フロー図。
【図１３】効果説明図。
【符号の説明】
１…個人認証システム
１０…管理サーバ
１３…制御装置
１５…キーボード
１９…ＬＡＮボード
２０…ハードディスク
２２…音声特徴割出プログラム
２３…音声比率比較プログラム
２４…打鍵比率算出プログラム
２５…打鍵比率比較プログラム
２６…認証判断プログラム
３０…操作端末
３０’…操作端末
３８…マイク
３９…ＬＡＮボード
５１…サーバ用インストールＣＤ−ＲＯＭ
ｓ…打鍵時間間隔
ｔａ…打鍵時間比率
ｔｂ…音声時間比率
Ｍ…音声平均比率
Ｋ…打鍵平均比率
Ｄ…打鍵標準偏差
ｖ…特徴時刻
【図１】
2004038848.tif 000003
【図２】
2004038848.tif 000004
【図３】
2004038848.tif 000005
【図４】
2004038848.tif 000006
【図５】
2004038848.tif 000007
【図６】
2004038848.tif 000008
【図７】
2004038848.tif 000009
【図８】
2004038848.tif 000010
【図９】
2004038848.tif 000011
【図１０】
2004038848.tif 000012
【図１１】
2004038848.tif 000013
【図１２】
2004038848.tif 000014
【図１３】
2004038848.tif 000015